【手続補正書】
【提出日】令和3年3月12日(2021.3.12)
【手続補正１】
【補正対象書類名】特許請求の範囲
【補正対象項目名】全文
【補正方法】変更
【補正の内容】
【特許請求の範囲】
【請求項１】
画像データから文字部を検出する検出手段と、
前記検出手段により検出した文字部の中で、点又は線の密集度が所定の密集度よりも高い領域を含む領域のエッジ部に対して、第１フィルタを使用してエッジ強調処理を実行する第１エッジ強調手段と、
前記検出手段により検出された文字部の中で、点又は線の密集度が前記所定の密集度よりも高い領域を含まない領域のエッジ部に対して、第２フィルタを使用してエッジ強調処理を実行する第２エッジ強調手段と、を有し、
前記第２フィルタよりも前記第１フィルタの方が、前記所定の密集度よりも高い密集度を有する領域に対してエッジを強調する度合いが大きいことを特徴とする画像処理装置。
【請求項２】
前記第１エッジ強調手段は、前記検出手段が検出した文字部の中で所定の空間周波数よりも高い空間周波数を含む領域のエッジ部に対して、前記第１フィルタを使用してエッジ強調処理を実行することを特徴とする請求項１に記載の画像処理装置。
【請求項３】
前記第１フィルタは、８ライン／ｍｍ以上の応答が高くなるエッジ強調フィルタであり、前記第２フィルタは、４〜６ライン／ｍｍの応答が高くなるエッジ強調フィルタであることを特徴とする請求項１又は２に記載の画像処理装置。
【請求項４】
前記第１エッジ強調手段及び前記第２エッジ強調手段は、網点を含むと判定された領域の画像データに対して、前記画像データの網点構造をなくすスムージングを行う第３フィルタ処理を行った後、エッジを強調する処理を行うことを特徴とする請求項１乃至３のいずれか１項に記載の画像処理装置。
【請求項５】
前記第３フィルタ処理において使用されるフィルタは、６〜７ライン／ｍｍの応答が０になる周波数特性を有するフィルタであり、前記エッジを強調する処理において使用されるフィルタは、８ライン／ｍｍ以上の高周波成分の応答が高くならない周波数特性を有するフィルタであることを特徴とする請求項４に記載の画像処理装置。
【請求項６】
前記検出手段は、前記画像データに対するエッジ抽出処理により抽出したエッジ情報に基づいて、前記画像データから前記文字部を検出することを特徴とする請求項１乃至５のいずれか１項に記載の画像処理装置。
【請求項７】
前記第１フィルタは、前記エッジ情報が関連付けられた画素をなくして、文字部のエッジを強調するフィルタであることを特徴とする請求項６に記載の画像処理装置。
【請求項８】
前記所定の空間周波数よりも高い空間周波数とは、８ライン／ｍｍを超える空間周波数であることを特徴とする請求項２に記載の画像処理装置。
【請求項９】
前記第１エッジ強調手段は、検出した文字部の中の８ライン／ｍｍを超える空間周波数を含む領域のエッジ部に対して、前記第１フィルタを使用してエッジ強調処理を実行し、前記第２エッジ強調手段は、前記検出された文字部の中の４〜６ライン／ｍｍの空間周波数を含む領域のエッジ部に対して、前記第２フィルタを使用してエッジ強調処理を実行することを特徴とする請求項１乃至８のいずれか１項に記載の画像処理装置。
【請求項１０】
前記画像データは、原稿を読み取って入力した画像データであることを特徴とする請求項１乃至９のいずれか１項に記載の画像処理装置。
【請求項１１】
画像データから文字部を検出する検出工程と、
前記検出工程により検出した文字部の中で、点又は線の密集度が所定の密集度よりも高い領域を含む領域のエッジ部に対して、第１フィルタを使用してエッジ強調処理を実行する第１エッジ強調工程と、
前記検出工程により検出された文字部の中で、点又は線の密集度が前記所定の密集度よりも高い領域を含まない領域のエッジ部に対して、第２フィルタを使用してエッジ強調処理を実行する第２エッジ強調工程と、を有し、
前記第２フィルタよりも前記第１フィルタの方が、前記所定の密集度よりも高い密集度を有する領域に対してエッジを強調する度合いが大きいことを特徴とする画像処理方法。
【請求項１２】
前記第１エッジ強調工程は、前記検出工程が検出した文字部の中で所定の空間周波数よりも高い空間周波数を含む領域のエッジ部に対して、前記第１フィルタを使用してエッジ強調処理を実行することを特徴とする請求項１１に記載の画像処理方法。
【請求項１３】
前記第１フィルタは、８ライン／ｍｍ以上の応答が高くなるエッジ強調フィルタであり、前記第２フィルタは、４〜６ライン／ｍｍの応答が高くなるエッジ強調フィルタであることを特徴とする請求項１１又は１２に記載の画像処理方法。
【請求項１４】
前記第１エッジ強調工程及び前記第２エッジ強調工程は、網点を含むと判定された領域の画像データに対して、前記画像データの網点構造をなくすスムージングを行う第３フィルタ処理を行った後、エッジを強調する処理を行うことを特徴とする請求項１１乃至１３のいずれか１項に記載の画像処理方法。
【請求項１５】
前記第３フィルタ処理において使用されるフィルタは、６〜７ライン／ｍｍの応答が０になる周波数特性を有するフィルタであり、前記エッジを強調する処理において使用されるフィルタは、８ライン／ｍｍ以上の高周波成分の応答が高くならない周波数特性を有するフィルタであることを特徴とする請求項１４に記載の画像処理方法。
【請求項１６】
前記検出工程は、前記画像データに対するエッジ抽出処理により抽出したエッジ情報に基づいて、前記画像データから前記文字部を検出することを特徴とする請求項１１乃至１５のいずれか１項に記載の画像処理方法。
【請求項１７】
前記第１フィルタは、前記エッジ情報が関連付けられた画素をなくして、文字部のエッジを強調するフィルタであることを特徴とする請求項１６に記載の画像処理方法。
【請求項１８】
前記所定の空間周波数よりも高い空間周波数とは、８ライン／ｍｍを超える空間周波数であることを特徴とする請求項１２に記載の画像処理方法。
【請求項１９】
前記第１エッジ強調工程は、検出した文字部の中の８ライン／ｍｍを超える空間周波数を含む領域のエッジ部に対して、前記第１フィルタを使用してエッジ強調処理を実行し、前記第２エッジ強調工程は、前記検出された文字部の中の４〜６ライン／ｍｍの空間周波数を含む領域のエッジ部に対して、前記第２フィルタを使用してエッジ強調処理を実行することを特徴とする請求項１１乃至１８のいずれか１項に記載の画像処理方法。
【請求項２０】
コンピュータを、請求項１乃至１０のいずれか１項に記載の画像処理装置の各手段のすべてとして機能させるためのプログラム。
【手続補正２】
【補正対象書類名】明細書
【補正対象項目名】０００８
【補正方法】変更
【補正の内容】
【０００８】
上記目的を達成するために本発明の一態様に係る画像処理装置は以下のような構成を備える。即ち、
画像データから文字部を検出する検出手段と、
前記検出手段により検出した文字部の中で、点又は線の密集度が所定の密集度よりも高い領域を含む領域のエッジ部に対して、第１フィルタを使用してエッジ強調処理を実行する第１エッジ強調手段と、
前記検出手段により検出された文字部の中で、点又は線の密集度が前記所定の密集度よりも高い領域を含まない領域のエッジ部に対して、第２フィルタを使用してエッジ強調処理を実行する第２エッジ強調手段と、を有し、
前記第２フィルタよりも前記第１フィルタの方が、前記所定の密集度よりも高い密集度を有する領域に対してエッジを強調する度合いが大きいことを特徴とする。
【手続補正３】
【補正対象書類名】明細書
【補正対象項目名】００５４
【補正方法】変更
【補正の内容】
【００５４】
そして、網点構造をなくした後に行うエッジを強調するフィルタの周波数特性の例として、図１２（Ｂ）に示すような、８ライン／ｍｍ以上の高周波成分の応答が高くならないような特性などが考えられる。